(57)【特許請求の範囲】
【請求項１】
フィルム処理タンクに保持されたフィルム現像液中でフィルムを移動させて該フィルムを現像処理するフィルムプロセッサと、
現像されたフィルムを保持するネガマスクと、該ネガマスクに保持されたフィルムの画像を印画紙に焼き付ける露光台とを備えたプリンタ部と、
印画紙処理タンクに保持された印画紙現像液中で上記印画紙を移動させて該印画紙を現像処理するペーパープロセッサとが設けられている全自動写真処理機であって、
上記フィルムプロセッサと上記プリンタ部と上記ペーパープロセッサとが、平面視において、フィルム移動方向に伸びるフィルム処理タンク中心線と、フィルム移動方向に伸びるネガマスク中心線又は印画紙移動方向に伸びる露光台中心線と、印画紙移動方向に伸びる印画紙処理タンク中心線とが互いに重なり合わずに平行となるような位置関係でもって配置されていることを特徴とする全自動写真処理機。
【請求項２】
上記ネガマスク上記露光台とが、平面視において、ネガマスク中心線と露光台中心線とが重なり合うような位置関係でもって配置されていることを特徴とする請求項１に記載された全自動写真処理機。
【請求項３】
上記フィルム処理タンクと上記印画紙処理タンクとが、互いに近接して並列配置されていることを特徴とする請求項１又は２に記載された全自動写真処理機。
【請求項４】
上記フィルム処理タンク中心線に対応する第１の位置と、上記ネガマスク中心線に対応する第２の位置との間で往復移動することができ、
フィルム処理タンクを出たフィルムを上記第１の位置で受け取った後、上記第２に位置まで移動し、該フィルムをネガマスクに供給するフィルム移送機構が設けられていることを特徴とする請求項３に記載された全自動写真処理機。
【請求項５】
上記露光台を出た印画紙を、上記露光台中心線に対応する第３の位置から、上記印画紙処理タンク中心線に対応しかつペーパープロセッサへの印画紙の入口となる第４の位置まで、写真処理機幅方向にずらせながら上昇させてペーパープロセッサに供給する印画紙移送機構が設けられていることを特徴とする請求項４に記載された全自動写真処理機。
【発明の詳細な説明】
【０００１】
【発明の属する技術分野】
本発明は、全自動写真処理機に関するものであって、とくに該全自動写真処理機におけるフィルムプロセッサとプリンタ部とペーパープロセッサの配置構造に関するものである。
【０００２】
【従来の技術】
撮影済みのフィルムの現像処理と、現像されたフィルムの画像の印画紙への焼き付け処理と、該印画紙の現像処理とを自動操作で連続的に行うようにした全自動写真処理機は従来より知られている。そして、かかる全自動写真処理機においては、一般に、フィルム処理タンクに保持されたフィルム現像液でフィルムを現像処理するフィルムプロセッサと、現像されたフィルムをネガマスクで保持して露光し、該フィルムの画像を露光台で印画紙に焼き付けるプリンタ部と、印画紙処理タンクに保持された印画紙現像液で該印画紙を現像処理するペーパープロセッサとが１つのハウジング内に配設されている。
【０００３】
図５（ａ）〜（ｃ）に、かかる従来の全自動写真処理機の１つの具体例を示す。図５（ａ）〜（ｃ）に示すように、この従来の全自動写真処理機１００においては、フィルム挿入部１０１内にセットされたパトローネ１０２から引き出された撮影済みのフィルム１０３が、フィルムプロセッサ１０４のフィルム処理タンク１０５内を上下に蛇行しつつフィルム処理タンク長手方向に移動させられて現像される。続いて、現像されたフィルム１０３は、フィルム乾燥部１０６で乾燥させられ、この後ネガマスク１０７に送られる。
【０００４】
そして、ネガマスク１０７に保持されたフィルム１０３に光源１０８から放射された光が照射され、フィルム１０３の透過光、すなわちフィルム１０３の画像を伴った光はミラー１０９で反射されてその進行方向を９０°変えた後、露光台１１０に照射される。他方、ペーパーマガジン１１１から引き出された印画紙１１２は、所定のコマ長さのサイズとなるようにカットされて露光台１１０に送られ、前記の画像を伴った透過光が該印画紙１１２に照射され、該印画紙１１２に該画像が焼き付けられる。このようにして画像が焼き付けられた印画紙１１２は、ペーパープロセッサ１１３の印画紙処理タンク１１４内を上下に蛇行しつつ印画紙処理タンク長手方向に移動させられて現像される。この後、現像された印画紙１１２は、印画紙乾燥部で乾燥させられて写真となる。
【０００５】
【発明が解決しようとする課題】
ところで、この従来の全自動写真処理機１００の構造では、平面視において、ネガマスク１０７をフィルム処理タンク１０５の長手方向（平面視でのフィルム移動方向）に伸びる中心線上に配置しなければ、フィルム処理タンク１０５からネガマスク１０７にフィルム１０３をうまく供給することができない。そこで、この全自動写真処理機１００では、ネガマスク１０７が、フィルム処理タンク中心線Ｃ2上に配置されている。すなわち、平面視において、フィルム処理タンク中心線Ｃ2とネガマスク中心とが一致するように配置されている。したがって、この構造では、フィルムプロセッサ１０４のフィルム現像レーンは１レーンに限られ、複数のレーンを設けることができず、複数のフィルムを並列で能率的に現像することができないといった問題がある。
【０００６】
また、この全自動写真処理機１００の構造では、平面視において、露光台１１０を印画紙処理タンク１１４の長手方向（平面視での印画紙移動方向）に伸びる中心線上に配置しなければ、露光台１１０から印画紙処理タンク１１４に印画紙１１２をうまく供給することができない。そこで、この全自動写真処理機１００では、露光台１１０が、印画紙処理タンク中心線Ｃ1上に配置されている。したがって、この構造では、露光台１１０ないしは印画紙処理タンク１１４のレイアウトの自由度が小さくなり、該全自動写真処理機１００を設計する上での制約がきつくなる。このため、該全自動写真処理機の操作性が悪くなり、ひいては該全自動写真処理機のコストアップを招くといった問題がある。
【０００７】
さらに、この全自動写真処理機１００では、印画紙処理タンク１１４（ペーパープロセッサ１１３）とフィルム処理タンク１０５（フィルムプロセッサ１０４）とが、平面視において、印画紙処理タンク中心線Ｃ1とフィルム処理タンク中心線Ｃ2とが垂直となるような位置関係でもって配置されている。このため、図５（ａ）から明らかなとおり、全自動写真処理機１００は、平面視では「く」の字状の形状となる。このため、平面視で略長方形のものに比べて、その配置性が悪くなり、該全自動写真処理機１００を配置すべきスペースを有効に使用することができないといった問題がある。
【０００８】
なお、この全自動写真処理機１００と基本的には同様の構造の全自動写真処理機は、例えば特許公報第２６６４５３０号及び特開平７−１４０６２７号公報に開示されている。
【０００９】
図６（ａ）、（ｂ）に、もう１つの従来の全自動写真処理機の具体例を示す。図６（ａ）、（ｂ）に示すように、この従来の全自動写真処理機１００’は、基本的には、図５（ａ）〜（ｃ）に示す全自動写真処理機１００と同様の構造とされている。なお、図６（ａ）、（ｂ）に示す全自動写真処理機１００’の構成要素において、図５（ａ）〜（ｃ）に示す全自動写真処理機１００の構成要素と同一の名称及び実質的機能を有するものには同一番号が付されている。
【００１０】
しかしながら、この従来の全自動写真処理機１００’では、フィルムプロセッサ１０４とネガマスク１０７ないしは露光台１１０とペーパープロセッサ１１３とが、平面視において、フィルム処理タンク１０５の長手方向に伸びる中心線と、ネガマスク１０７のフィルム移動方向に伸びる中心線と、露光台１１０の印画紙移動方向に伸びる中心線と、印画紙処理タンク１１４の長手方向に伸びる中心線とがすべて１つの直線Ｃ3に一致するような位置関係でもって、直列（一列）に配置されている。このため、全自動写真処理機１００’の長手方向の寸法が大きくなり、その配置性が悪くなるといった問題がある。
【００１１】
また、この全自動写真処理機１００’においても、図５（ａ）〜（ｃ）に示す全自動写真処理機１００の場合と同様の理由により、フィルムプロセッサ１０４に複数のフィルム現像レーンを設けることができず、かつ露光台１１０ないしは印画紙処理タンク１１４のレイアウトの自由度が小さくなり、その操作性が悪くなるといった問題がある。
【００１２】
なお、この全自動写真処理機１００’と基本的には同様の構造の全自動写真処理機は、例えば特開平５−２１６１３４号公報に開示されている。
【００１３】
本発明は、上記従来の問題を解決するためになされたものであって、フィルムプロセッサに複数の現像処理レーンを設けることができ、各構成要素のレイアウトの自由度を高めることができ、あるいはその配置性を高めることができるコンパクトな構造の全自動写真処理機を提供することを解決すべき課題とする。
【００１４】
【課題を解決するための手段】
上記の課題を解決するためになされた本発明は、（ａ）フィルム処理タンクに保持されたフィルム現像液中でフィルムを移動させて該フィルムを現像処理するフィルムプロセッサと、（ｂ）現像されたフィルム（露光すべき部分）を保持するネガマスクと、該ネガマスクに保持されたフィルムの画像を印画紙に焼き付ける露光台とを備えたプリンタ部と、（ｃ）印画紙処理タンクに保持された印画紙現像液中で印画紙を移動させて該印画紙を現像処理するペーパープロセッサとが設けられている全自動写真処理機であって、（ｄ）フィルムプロセッサとプリンタ部とペーパープロセッサとが、平面視において、フィルム移動方向に伸びるフィルム処理タンク中心線と、フィルム移動方向に伸びるネガマスク中心線又は印画紙移動方向に伸びる露光台中心線と、印画紙移動方向に伸びる印画紙処理タンク中心線とが互いに重なり合わずに平行となるような位置関係でもって配置されていることを特徴とするものである。
この全自動写真処理機においては、ネガマスクと露光台とが、平面視でネガマスク中心線と上記露光台中心線とが重なり合うような位置関係でもって配置されているのが好ましいすなわち、露光台がネガマスクの直下に配置されているのが好ましい。
【００１５】
この全自動写真処理機においては、フィルム処理タンク中心線とネガマスク中心線とを一致させる必要がないので、フィルムプロセッサに複数の現像処理レーンを設けることができる。また、フィルム処理タンク中心線とネガマスク中心線又は露光台中心線と印画紙処理タンク中心線とが互いに平行でさえあれば、これらを任意の位置に配置することができるので、各構成要素の配置の自由度が大幅に高められ、かつ該全自動写真処理機がコンパクト化される。また、全自動写真処理機を平面視で略長方形とすることができ、その配置性が高められ、該全自動写真処理機を配置すべきスペースを有効に使用することができる。
【００１６】
この全自動写真処理機においては、フィルム処理タンクと印画紙処理タンクとが近接して並列配置されているのが好ましい。このようにすれば、フィルム処理タンクと印画紙処理タンクとを容易に一体形成することができるので、該全自動写真処理機をさらにコンパクト化することができる。
【００１７】
また、この全自動写真処理機においては、フィルム処理タンク中心線に対応する第１の位置と、ネガマスク中心線に対応する第２の位置との間で往復移動することができ、フィルム処理タンクを出たフィルムを第１の位置で受け取った後、第２に位置まで移動し、該フィルムをネガマスクに供給するフィルム移送機構が設けられているのがさらに好ましい。このようにすれば、平面視でフィルム処理タンク中心線と垂直な方向に互いにオフセットして配置されているフィルム処理タンクとネガマスクとの間でのフィルムの移送を容易に行うことができる。
【００１８】
さらに、露光台を出た印画紙を、露光台中心線に対応する位置から、印画紙処理タンク中心線に対応しかつペーパープロセッサへの印画紙の入口となる位置まで、写真処理機幅方向（左右方向）にずれさせながら上昇させてペーパープロセッサに供給する印画紙供給機が設けられているのが一層好ましい。このようにすれば、印画紙処理タンク中心線と垂直な方向と上下方向とに互いにオフセットして配置されている露光台と印画紙処理タンクとの間での印画紙の移送を容易に行うことができる。
【００１９】
【発明の実施の形態】
以下、本発明の実施の形態を具体的に説明する。
図１〜図４に示すように、本発明にかかる全自動写真処理機Ｐは、実質的に、フィルム挿入部１と、フィルムプロセッサ２と、フィルム移送機構３と、プリンタ部４と、印画紙供給部５と、ペーパープロセッサ６と、印画紙乾燥部７とで構成されている。
【００２０】
フィルム挿入部１は、第１フィルム挿入部１ａと第２フィルム挿入部１ｂとで構成され、各フィルム挿入部１ａ、１ｂ内には、それぞれ、所定の種類のパトローネ２がセットされるようになっている。例えば、第１フィルム挿入部１ａには、１３５フィルムのパトローネ２がセットされ、第２フィルム挿入部には２４０フィルムのパトローネ２がセットされる。そして、このパトローネ２から撮影済みのフィルム９が引き出され、このフィルム９はフィルムプロセッサ２に送られる。
【００２１】
フィルムプロセッサ２には、第１フィルム挿入部１ａから送られてきたフィルム９を現像する第１フィルム処理タンク１０ａと、第２フィルム挿入部１ｂから送られてきたフィルム９を現像する第２フィルム処理タンク１０ｂとで構成されるフィルム処理タンク１０が設けられている。すなわち、このフィルムプロセッサ２には、２つの現像処理レーンが設けられ、複数の種類のフィルム９を能率的に並列で現像することができるようになっている。そして、このフィルムプロセッサ２に導入されたフィルム９は、フィルム搬送経路１１に沿って搬送され、フィルム処理タンク１０内に保持されたフィルム現像液中を上下に蛇行しつつ、図２中に矢印Ｚ1で示された方向に進み、現像される。なお、該フィルム処理タンクの末端（図２中では左端部）には、フィルム乾燥室１０’が付設され、現像されたフィルム９はこのフィルム乾燥室１０’内で乾燥させられる。この後、フィルム９は、フィルムプロセッサ出口１２からフィルム移送機構３に送られる。
【００２２】
フィルム搬送部３に送られてきた所定の１ユニット分（例えば、パトローネ１本分）のフィルム９は、ストックユニット１３に巻き付けられてストックされる。ここで、フィルム移送機構３（ストックユニット１３）は、図１中のＸ1−Ｘ2方向に自在に往復移動することができるようになっている。なお、フィルム移送機構３は、少なくとも、第２フィルム処理タンク１０ｂの長手方向の中心線Ｌ4に対応する位置と、後記のネガマスク１６の中心線Ｌ2に対応する位置との間を移動することができるようになっている。そして、フィルム移送機構３は、ストックユニット１３に１ユニット分のフィルム９をストックした後、Ｘ2方向に移動して中心線Ｌ2に対応する位置で、該フィルム９をプリンタ部３（ネガマスク１６）に送る。
なお、フィルム移送機構３は、第１フィルム処理タンク１０ａで現像されたフィルム９は該第１処理タンク１０ａの中心線Ｌ3に対応する位置で受け取り、第２フィルム処理タンク１０ｂで現像されたフィルム９は該第２処理タンク１０ｂの中心線Ｌ4に対応する位置で受け取る。このような構造となっているので、現像処理レーンを複数レーン設けても、フィルムプロセッサ２からネガマスク１６へフィルム９を支障なく能率的に移送することができる。
【００２３】
プリンタ部３では、光源１４から放射された光が、ミラートンネル１５を介してネガマスク１６に保持されているフィルム９（露光すべき部分）に照射され、該フィルム９の透過光１７ａ、すなわちフィルム９の画像を伴った光はレンズユニット１８で光学的に調整され、調整された透過光１７ｂは露光部１９の上に配置された後記の印画紙２１の上面に照射される。
【００２４】
そして、印画紙供給部５にはロール状の印画紙２１を保持するペーパーマガジン２０が配設されている。このペーパーマガジン２０に巻かれたロール状の印画紙２１は、ペーパーマガジン２０から引き出された後、カッター２２によって所定のサイズのコマ長さにカットされる。この後、所定のコマ長さにカットされた印画紙２１は、露光部１０に搬送され、露光部１０上の印画紙２１の上面に前記の画像を伴った透過光１７ｂが照射され、この画像が印画紙２１に焼き付けられる。
【００２５】
所定のコマ長さにカットされて画像が焼き付けられた印画紙２１は、図２中の矢印Ｚ2方向に搬送され、この後ローラ対２３に挟まれて保持される。詳しくは図示していないが、ローラ対２３は、まず印画紙２１を水平に保持した後、９０°回動して該印画紙２１を鉛直に保持するようになっている。なお、図４中では、ローラ対２３が印画紙２１を鉛直に保持している状態が示されている。
【００２６】
ここで、ローラ対２３はホルダ２４に取り付けられ、このホルダ２４は、ホルダ駆動機構（図示せず）によってガイドレール２５に沿って自在に昇降できるようになっている。図４から明らかなとおり、ガイドレール２５は、基本的には上下方向に伸びているが、その中間部では、該全自動写真処理機Ｐの幅方向（図４中では左右方向であり、平面視で中心線Ｌ1〜Ｌ4と垂直な方向）に屈曲ないしは湾曲している。このため、ローラ対２３が露光部１９に対応する下側位置で印画紙２１を保持した後、ホルダ２４がガイドレール２５に沿って上昇すると、印画紙２１は図４中の矢印Ｙで示すような経路をたどって、全自動写真処理機Ｐの幅方向にオフセットしつつ上昇する。そして、ホルダ２４が上側位置まで上昇したときには、印画紙２１は、ペーパープロセッサ入口２６に対応する位置に配置される。この後、印画紙２１は、ペーパープロセッサ入口２６を介してペーパープロセッサ６に送られる。
【００２７】
ペーパープロセッサ６には、プリンタ部４から送られてきた印画紙２１を現像する印画紙処理タンク２７が設けられている。そして、このペーパープロセッサ６に導入された印画紙２１は、印画紙搬送経路２８に沿って搬送され、印画紙処理タンク２７内に保持された印画紙現像液中を上下に蛇行しつつ、図３中に矢印Ｚ3で示された方向に進み、現像される。このように現像された印画紙２１は、印画紙乾燥部７で乾燥させられ、この後印画紙２１すなわち写真は取り出し部２９から取り出される。
【００２８】
この全自動写真処理機Ｐでは、フィルムプロセッサ２とプリンタ部３とペーパープロセッサ６とが、平面視において、印画紙処理タンク２７の中心線Ｌ1と、ネガマスク１６ないしは露光部１９の中心線Ｌ2と、第１、第２フィルム処理タンク１０ａ、１０ｂの各中心線Ｌ3、Ｌ4とが互いに重なり合わずに平行となるような位置関係でもって配置されている。そして、フィルム処理タンク１０と印画紙処理タンク２７とは、これらが互いに並列となるようにして一体形成されている。このため、フィルムプロセッサ２及びペーパープロセッサ６がコンパクトな構成となり、ひいて該全自動写真処理機Ｐもコンパクト化されている。
【００２９】
そして、該全自動写真処理機Ｐは、平面視において略長方形であり、またとくには細長い形状ともなっていないので、その配置性が極めて良好であり、該全自動写真処理機Ｐを配置すべきスペースを有効に（無駄なく）使用することができる。また、該全自動写真処理機Ｐの各構成要素のレイアウトの自由度が極めて高くなるので、各構成要素を操作性の良好な形態に配置することができる。
【図面の簡単な説明】
【図１】  本発明にかかる全自動写真処理機の平面図である。
【図２】  図１に示す全自動写真処理機の、フィルムプロセッサと対応する位置における縦断面図である。
【図３】  図１に示す全自動写真処理機のＡ−Ａ線断面図である。
【図４】  図２に示す全自動写真処理機のＢ−Ｂ線断面図である。
【図５】  （ａ）は従来の全自動写真処理機の平面図であり、（ｂ）は（ａ）に示す全自動写真処理機のフィルムプロセッサに対応する位置での縦断面図であり、（ｃ）は（ａ）に示す全自動写真処理機のペーパープロセッサに対応する位置での縦断面図である。
【図６】  （ａ）はもう１つの従来の全自動写真処理機の平面図であり、（ｂ）は（ａ）に示す全自動写真処理機の縦断面図である。
【符号の説明】
Ｐ…全自動写真処理機、Ｌ1…印画紙処理タンクの中心線、Ｌ2…ネガマスク又は露光部の中心線、Ｌ3…第１フィルム処理タンクの中心線、Ｌ4…第２フィルム処理タンクの中心線、１…フィルム挿入部、１ａ…第１フィルム挿入部、１ｂ…第２フィルム挿入部、２…フィルムプロセッサ、３…フィルム移送機構、４…プリンタ部、５…印画紙供給部、６…ペーパープロセッサ、７…印画紙乾燥部、８…パトローネ、９…フィルム、１０…フィルム処理タンク、１０ａ…第１フィルム処理タンク、１０ｂ…第２フィルム処理タンク、１０’…フィルム乾燥室、１１…フィルム搬送経路、１２…フィルムプロセッサ出口、１３…ストックユニット、１４…光源、１５…ミラートンネル、１６…ネガマスク、１７ａ…透過光、１７ｂ…透過光、１８…レンズユニット、１９…露光部、２０…ペーパーマガジン、２１…印画紙、２２…カッター、２３…ローラ対、２４…ホルダ、２５…ガイドレール、２６…ペーパープロセッサ入口、２７…印画紙処理タンク、２８…印画紙搬送経路、２９…取り出し部。
【図１】
0003807075.tif 000002
【図２】
0003807075.tif 000003
【図３】
0003807075.tif 000004
【図４】
0003807075.tif 000005
【図５】
0003807075.tif 000006
【図６】
0003807075.tif 000007